(57)【要約】【課題】作業性が良く、かつ、軌条に対し、安定して融雪器を固定することができる融雪器取り付け金具を提供する。【解決手段】両側板に、軌条の底部の一方の側端を係合する横向きの凹部を有する、平面視コ字型の枠体部材１１と、一端が枠体部材１１に接続され、軌条の腹部側面に沿うように折曲して立設されている立上げ片部材１２を備え、枠体部材１１には、軌条の底部下面に沿って配置され、一端にはかぎ部１５１が設けられ、他端には締付ナット１７が螺着自在に設けられた棒状体１５が、略水平方向に枠体部材１１の背面板を貫通して設けられ、立上げ片部材１２の他端には、融雪器４０を抱えるチャンネル型抱え金具部１９が設けられ、立上げ片部材１２の背面には、補強片部材１８が設けられており、棒状体１５のかぎ部１５１を軌条の底部の一側縁に係止し、締付ナット１７を締め付けることによって、軌条の腹部側面に融雪器４０が固定される構成とした。【選択図】図１
0003228539.tif 000002
【実用新案登録請求の範囲】
【請求項１】
軌条の腹部側面に融雪器を取付けるための融雪器取り付け金具であって、
両側板に、軌条の底部の一方の側端を係合する横向きの凹部を有する、平面視コ字型の枠体部材と、
一端が前記枠体部材に接続され、軌条の腹部側面に沿うように折曲して立設されている立上げ片部材を備え、
前記枠体部材には、軌条の底部下面に沿って配置され、一端には第１かぎ部が設けられ、他端にはナットが螺着自在に設けられた棒状体が、略水平方向に前記枠体部材の背面板を貫通して設けられ、
前記立上げ片部材の他端には、融雪器を抱えるチャンネル型抱え金具部が設けられ、
前記チャンネル型抱え金具部を含む前記立上げ片部材の背面には、前記立上げ片部材を補強する補強片部材が設けられており、
前記棒状体の前記かぎ部を軌条の底部の一側縁に係止し、前記ナットを締め付けることによって、軌条の腹部側面に融雪器が固定されることを特徴とする、融雪器取り付け金具。
【請求項２】
軌条の腹部側面に融雪器を取付けるための融雪器取り付け金具であって、
軌条の底部の両側縁及び下面を嵌合する軌条固定部材と、
一端が前記軌条固定部材に接続され、軌条の腹部側面に沿うように折曲して立設されている立上げ片部材を備え、
前記立上げ片部材の他端には、融雪器を抱えるチャンネル型抱え金具部が設けられ、
前記軌条固定部材には、軌条の底部下面に沿って配置され、略中央部で折曲している軌条支持部と、前記チャンネル型抱え金具部の背面に配置され、前記立上げ片部材を補強する補強片部が設けられ、
前記軌条支持部の一端には、第２かぎ部が設けられており、
前記軌条支持部の前記第２かぎ部を軌条の底部の一側縁に係止し、軌条の底部の両側縁及び下面を、前記軌条固定部材に嵌合することによって、軌条の腹部側面に融雪器が固定されることを特徴とする、融雪器取り付け金具。
【考案の詳細な説明】
【技術分野】
【０００１】
本考案は、融雪器を軌条（レール）に取り付ける際に用いる融雪器取り付け金具に関するものである。
【背景技術】
【０００２】
鉄道の軌条（レール）の切替えポイント上の着雪や凍結を防止することは、鉄道運行上きわめて重要なことである。このため、取り付け金具を介して軌条に融雪器を取り付けることが一般的に行われている。
【０００３】
従来、融雪器を軌条に取り付ける際に用いる融雪器取り付け金具は、融雪器を軌条にネジ（ナット）で止めるタイプと、融雪器をばねで軌条に押し付けて（＝付勢）止めるタイプの２つがあった。
【０００４】
ネジで止めるタイプの融雪器取り付け金具は、軌条に対して金具をネジで固定し、また、軌条に対して融雪器をネジで固定する構成であるため、軌条の振動によっても、融雪器がずれることはなく、融雪器を軌条に安定して固定することができた。
【０００５】
また、特許文献１に示されているように、ばねで軌条に押し付けて止めるタイプの融雪器取り付け金具は、金具を軌条の底部下面に嵌合し、融雪器をばねで付勢して軌条に押し付けて固定する構成であるため、作業員等のユーザが、ハンマー等を使って、融雪器取り付け金具を押し込み、ハンドルを操作するだけで、軌条に取り付けることができるため、作業性は良かった。
【先行技術文献】
【特許文献】
【０００６】
【特許文献１】特開２００１−１１５４０４号公報
【考案の開示】
【考案が解決しようとする課題】
【０００７】
しかしながら、ネジで止めるタイプの融雪器取り付け金具は、４か所をネジで止める必要があり、また、軌条に対し、１個の融雪器を取り付けるのに、２個の金具を用いる必要があった。そのため、軌条に融雪器を取り付ける際には、作業員等のユーザは、ネジ止めを８か所行う必要が生じ、作業に時間を要した。
【０００８】
一方、ばねで軌条に押し付けて止めるタイプの融雪器取り付け金具は、軌条からの振動によって、融雪器がずれる可能性があり、融雪器を安定して固定することに対して、課題があった。
【０００９】
そこで、本考案は、上述の課題を解決するものとして、作業性が良く、かつ、軌条に対し、安定して融雪器を固定することができる融雪器取り付け金具を提供することを目的としたものである。
【課題を解決するための手段】
【００１０】
請求項１の考案は、
軌条の腹部側面に融雪器を取付けるための融雪器取り付け金具であって、
両側板に、軌条の底部の一方の側端を係合する横向きの凹部を有する、平面視コ字型の枠体部材と、
一端が前記枠体部材に接続され、軌条の腹部側面に沿うように折曲して立設されている立上げ片部材を備え、
前記枠体部材には、軌条の底部下面に沿って配置され、一端には第１かぎ部が設けられ、他端にはナットが螺着自在に設けられた棒状体が、略水平方向に前記枠体部材の背面板を貫通して設けられ、
前記立上げ片部材の他端には、融雪器を抱えるチャンネル型抱え金具部が設けられ、
前記チャンネル型抱え金具部を含む前記立上げ片部材の背面には、前記立上げ片部材を補強する補強片部材が設けられており、
前記棒状体の前記かぎ部を軌条の底部の一側縁に係止し、前記ナットを締め付けることによって、軌条の腹部側面に融雪器が固定される、融雪器取り付け金具とした。
【００１１】
また、請求項２の考案は、
軌条の腹部側面に融雪器を取付けるための融雪器取り付け金具であって、
軌条の底部の両側縁及び下面を嵌合する軌条固定部材と、
一端が前記軌条固定部材に接続され、軌条の腹部側面に沿うように折曲して立設されている立上げ片部材を備え、
前記立上げ片部材の他端には、融雪器を抱えるチャンネル型抱え金具部が設けられ、
前記軌条固定部材には、軌条の底部下面に沿って配置され、略中央部で折曲している軌条支持部と、前記チャンネル型抱え金具部の背面に配置され、前記立上げ片部材を補強する補強片部が設けられ、
前記軌条支持部の一端には、第２かぎ部が設けられており、
前記軌条支持部の前記第２かぎ部を軌条の底部の一側縁に係止し、軌条の底部の両側縁及び下面を、前記軌条固定部材に嵌合することによって、軌条の腹部側面に融雪器が固定される、融雪器取り付け金具とした。
【考案の効果】
【００１２】
本考案は、本考案に係る取り付け金具と軌条は、ナットで固定される構成であるのに対し、融雪器は軌条に付勢機構によって圧接される構成であるため、軌条からの振動でずれたり、外れたりすることなく融雪器を軌条の腹部側面に安定して固定でき、かつ、作業員等のユーザに対する作業性は良く、便宜である。
【図面の簡単な説明】
【００１３】
【図１】本考案の実施の形態例１の融雪器取り付け金具の正面図である。
【図２】本考案の実施の形態例１の融雪器取り付け金具の右側面図である。
【図３】本考案の実施の形態例１の融雪器取り付け金具を用いて融雪器を軌条に取り付けた状態を示す説明図である。
【図４】本考案の実施の形態例２の融雪器取り付け金具の正面図である。
【図５】本考案の実施の形態例２の融雪器取り付け金具の右側面図である。
【考案を実施するための形態】
【００１４】
（実施の形態例１）
まず、本考案の実施の形態例１の融雪器取り付け金具１０の構成を図１及び図２に基づいて説明する。
【００１５】
＜融雪器取り付け金具１０の構成＞
本考案の実施の形態例１の融雪器取り付け金具１０は、軌条３０（図３参照）の腹部側面に融雪器４０を取付けるためのものである。融雪器取り付け金具１０は、両側板に横向きの凹部１３を有する、平面視コ字型の枠体部材１１と、軌条３０の腹部側面に沿うように折曲して枠体部材１１に立設されている立上げ片部材１２を備えている。
【００１６】
なお、融雪器４０は、一般的には例えば、シーズヒータをアルミニウム等の熱伝導の良い展性、延性に富んだ金属で被覆した構成である。
【００１７】
枠体部材１１の両側板に横向きの凹部１３が設けられているのは、軌条３０の底部の一方の側端を係合するためである。また、枠体部材１１は、平面視コ字型で、一側面（図１では、左側面）及び平面の全面が開口しており、一端を枠体部材１１の背面板（図１では、右側面）にリベット１４によって接続された立上げ片部材１２が、枠体部材１１の開口した平面から、軌条３０の腹部側面に沿うように折曲して立設されている。
【００１８】
枠体部材１１には、軌条３０の底部下面に沿って配置される棒状体１５が、略水平方向に枠体部材１１の背面板を貫通して設けられている。枠体部材１１の開口した一側面から突出した棒状体１５の一端には、上方向に略直角に折れ曲がったかぎ部１５１（第１かぎ部の一例）が設けられている。枠体部材１１の背面板から突出した棒状体１５の他端には、ばね座金１６を介して締付ナット１７が螺着自在に設けられている。つまり、棒状体１５の他端付近は、その外周にネジが切られている。
【００１９】
立上げ片部材１２は、軌条３０の腹部側面に沿うように、断面略くの字形に折曲して立設されており、また、立上げ片部材１２は、弾性を有する材料からなる薄板状のばね（板ばね）である。そのため、これらの付勢機構によって、融雪器取り付け金具１０を軌条３０に取り付けると、融雪器４０と軌条３０の腹部側面との間の空間がなくなり、融雪器４０が、軌条３０の腹部側面に圧接される。
【００２０】
立上げ片部材１２の他端（図１では、左側面）には、融雪器４０を抱えるチャンネル型抱え金具部１９を有している。
【００２１】
また、チャンネル型抱え金具部１９を含む立上げ片部材１２の背面（図１では、右側）には、融雪器４０を軌条３０の腹部側面に圧接する際に、軌条３０からの応力に負けて、立ち上げ片部材１２が外側にたわんでしまったり、折れ曲がったりしないように補強する、補強片部材１８が設けられている。
【００２２】
補強片部材１８の上端は、チャンネル型抱え金具部１９の背面に当接している。
【００２３】
＜融雪器取り付け金具１０の取り付け方法＞
次に、本考案の実施の形態例１の融雪器取り付け金具１０の取り付け方法について説明する。なお、融雪器４０は、チャンネル型抱え金具部１９に抱えられているものとする。
【００２４】
作業員等のユーザは、軌条３０の底部の奥側の一側縁に、かぎ部１５１を引っ掛けて（係止し）、軌条３０の底部下面に沿って棒状体１５を配置する。次に、締付ナット１７を回して締め付ける。すると、図３に示すように、軌条３０の底部の一方の側端が枠体部材１１の横向きの凹部１３に係合し、軌条３０の底部の両側縁が、棒状体１５のかぎ部１５１と凹部１３で、挟持される。また、チャンネル型抱え金具部１９に抱えられた融雪器４０が、軌条３０の腹部側面に圧接される。
【００２５】
このように、本考案の実施の形態例１の融雪器取り付け金具１０は、本考案に係る取り付け金具と軌条３０は、締付ナット１７で固定される構成であるのに対し、融雪器４０は軌条３０に付勢機構によって圧接される構成であるため、軌条３０からの振動でずれたり、外れたりすることなく融雪器４０を軌条３０の腹部側面に安定して固定でき、かつ、作業員等のユーザに対する作業性は良く、便宜である。
【００２６】
なお、融雪器を取り付ける軌条３０には、５０ｋｇＮレール、６０ｋｇレール等の複数の種類があり、夫々軌条３０の幅や、各部の長さや高さ等が異なる。軌条３０の幅については、棒状体１５にネジ留する位置を調整して対応できる。一方、軌条３０の底部の側端の高さや長さ等については、対応できないため、軌条３０の種類に合わせた、融雪器取り付け金具を用意する必要がある。
【００２７】
（実施の形態例２）
上記の実施の形態例１では、融雪器取り付け金具１０と軌条３０を、締付ナット１７で固定する構成を示した。
【００２８】
しかし、締付ナット１７を用いる構成では、作業員等のユーザが、融雪器取り付け金具１０を軌条３０から撤去したり、取り付けを再度行いたい場合、寒冷地では、締付ナット１７が凍ってしまい、バーナー等で温めてからでないと、締付ナット１７を回して緩めることができない。そのため、作業に時間がかかる。
【００２９】
そこで、実施の形態例２では、締付ナット１７を用いることなく、作業性が良く、かつ、軌条３０に対し、安定して融雪器４０を固定することができる融雪器取り付け金具２０の構成について、説明する。なお、融雪器取り付け金具１０と同様の構成については、説明を省略し、異なる構成についてのみ、説明する。
【００３０】
融雪器取り付け金具２０の軌条固定部材２１は、軌条３０の底部下面に沿って配置され、略中央部２１３で折曲している軌条支持部２１１と、融雪器４０を軌条３０の腹部側面に圧接する際に、軌条３０からの応力に負けて、立ち上げ片部材１２が外側にたわんでしまったり、折れ曲がったりしないように補強する補強片部２１２が一体的に形成された構成である。
【００３１】
また、軌条支持部２１１の一端は、上方向に略直角に折れ曲がり、かぎ部２１４（第２かぎ部の一例）と成っている。また、軌条支持部２１１の他端は、補強片部２１２と一体になっている。
【００３２】
軌条支持部２１１の他端の内側に、立上げ片部材１２の下端が重合し、リベット１４によって接続されている。
【００３３】
立上げ片部材１２は、軌条３０の腹部側面に沿うように折曲し、立上げ片部材１２の上端には、融雪器４０を抱えるチャンネル型抱え金具部１９を有している。
【００３４】
補強片部２１２の上端は、チャンネル型抱え金具部１９の背面に当接している。
【００３５】
＜融雪器取り付け金具２０の取り付け方法＞
次に、本考案の実施の形態例２の融雪器取り付け金具２０の取り付け方法について説明する。なお、融雪器４０は、チャンネル型抱え金具部１９に抱えられているものとする。
【００３６】
作業員等のユーザは、軌条３０の底部の奥側の一側縁に、かぎ部２１４を引っ掛けて（係止し）、軌条３０の底部の両側縁及び下面を、軌条固定部材２１に嵌合する。すると、、チャンネル型抱え金具部１９に抱えられた融雪器４０が、軌条３０の腹部側面に圧接される。
【００３７】
軌条支持部２１１は略中央部２１３で折曲しているため、軌条３０と嵌合すると、両側方向に広がる力が加えられ、中心方向への応力が生じる。そのため、融雪器取り付け金具２０が、軌条３０から外れにくくなり、軌条３０に対し、安定して融雪器４０を固定することができる。
【００３８】
なお、１個の融雪器４０に対して、１個の融雪器取り付け金具１０、あるいは１個の融雪器取り付け金具２０を用いることを想定しているが、それに限定されるものではない。例えば、融雪器取り付け金具１０及び融雪器取り付け金具２０の横幅を小さくし、１個の融雪器４０に対して、複数の融雪器取り付け金具１０、あるいは複数の融雪器取り付け金具２０を用いても良い。軌条３０の腹部側面に、既に他の機器等が設置されており、十分なスペースがない場合等に便宜である。
【００３９】
以上、本考案の好ましい実施の形態例について述べたが、本考案に係る融雪器取り付け金具は上述した実施の形態例にのみ限定されるものではなく、本考案の範囲で種々の変更実施が可能であるのは言うまでもない。
【符号の説明】
【００４０】
１０：融雪器取り付け金具、１１：枠体部材、１２：立上げ片部材、１３：凹部、１４：リベット、１５：棒状体、１５１：かぎ部、１６：ばね座金、１７：締付ナット、１８：補強片部材、１９：チャンネル型抱え金具部、
２０：融雪器取り付け金具、２１：軌条固定部材、２１１：軌条支持部、２１２：補強片部、２１３：略中央部、２１４：かぎ部
３０：軌条、
４０：融雪器
【図１】
0003228539.tif 000003
【図２】
0003228539.tif 000004
【図３】
0003228539.tif 000005
【図４】
0003228539.tif 000006
【図５】
0003228539.tif 000007